(57)【要約】【課題】ＬＣ共振回路のインピーダンスの変化を防止することが可能な回路装置を提供する。【解決手段】各ＬＣ共振回路のコイル１１、１２の中心の向きを相互に直交させている。例えば、コイル１１を配線基板に立設して搭載し、コイル１２を配線基板に横に倒して搭載している。このため、各コイル１１、１２の磁力線の向きが相互に直交し、各コイル１１、１２の磁力線が結合せず、各コイル１１、１２が電磁結合せず、各コイル１１、１２のインダクタンスも変化せず、各ＬＣ共振回路の本来のインピーダンス周波数特性が維持され、共振インピーダンスが低下することもない。【選択図】図１
2005244456.tif 000002
【特許請求の範囲】
【請求項１】
複数の回路インピーダンスを高くするそれぞれのＬＣ共振回路を備える回路装置において、
各ＬＣ共振回路のコイル中心の向きを相互に直交させたことを特徴とする回路装置。
【請求項２】
複数の回路インピーダンスを高くするそれぞれのＬＣ共振回路を備える回路装置において、
各ＬＣ共振回路のコイルを配線基板の表裏に分けて搭載し、配線基板の表側のコイルと裏側のコイルが重なり合わない様に該各コイルをずらして配置したことを特徴とする回路装置。
【請求項３】
回路インピーダンスを高くするＬＣ共振回路を備える回路装置において、
ＬＣ共振回路のインピーダンスが変化しない様に該ＬＣ共振回路のコイルと配線基板間を離間させたことを特徴とする回路装置。
【請求項４】
回路インピーダンスを高くするＬＣ共振回路を備える回路装置において、
ＬＣ共振回路のインピーダンスが変化しない様に該ＬＣ共振回路のコイルと金属壁間を離間させたことを特徴とする回路装置。
【請求項５】
回路インピーダンスを高くするＬＣ共振回路を備える回路装置において、
ＬＣ共振回路のコイルと基板間に、弾性を有する絶縁体を挟み込んだことを特徴とする回路装置。
【請求項６】
絶縁体は、発泡樹脂であることを特徴とする請求項５に記載の回路装置。
【請求項７】
絶縁体は、ゴムであることを特徴とする請求項５に記載の回路装置。
【発明の詳細な説明】
【技術分野】
【０００１】
本発明は、回路インピーダンスを高くするＬＣ共振回路を備える回路装置に関する。
【背景技術】
【０００２】
この種の回路装置では、回路の入力側や出力側から見た回路インピーダンスを高くするために、ＬＣ共振回路を用いている。
【０００３】
例えば、図６に示す様にコイル１０１とコンデンサ１０２を並列接続したＬＣ共振回路１０３を入力端子１０４と低インピーダンス回路１０５間に挿入し、ＬＣ共振回路１０３の共振周波数を入力端子１０４から入力されるパルス信号の周波数に一致させる。入力端子１０４からパルス信号が入力されると、ＬＣ共振回路１０３が共振して高インピーダンスを示し、入力端子１０４から見たインピーダンスが高くなる。これにより、入力端子１０４が低インピーダンス回路１０５の回路インピーダンスから分離され、入力端子１０４を高インピーダンス回路１０６のみに接続しているものとみなすことができる（特許文献１を参照）。
【特許文献１】特開２００３−４６３５７号公報
【発明の開示】
【発明が解決しようとする課題】
【０００４】
しかしながら、単一の回路インピーダンスであれば、１つのＬＣ共振回路を回路インピーダンスの前段又は後段に挿入するだけで済むが、複数の回路インピーダンスをそれぞれのＬＣ共振回路により高める必要があるときには、図７に示す様に複数のＬＣ共振回路のコイル１１１、１１２を配線基板１１３上に搭載することになる。その上、配線基板１１３の大きさの制限等により、各コイル１１１、１１２を近接配置せねばならないことがある。この場合は、各コイル１１１、１１２の磁力線Ｓ1、Ｓ2が重なり合って、各コイル１１１、１１２が相互に電磁結合し、これらのコイル１１１、１１２のインダクタンスが変化して、各ＬＣ共振回路のインピーダンスが変化し、入力端子１０４から見たインピーダンスが低下してしまった。
【０００５】
また、単一のＬＣ共振回路のみであっても、周辺部材の影響によりＬＣ共振回路のコイルの磁力線が乱されてしまって、コイルのインダクタンスが変化し、ＬＣ共振回路のインピーダンスが変化することもあった。
【０００６】
更に、回路装置の消費電流が大きい（５００ｍＡ以上）場合は、ＬＣ共振回路に流れる電流も大きくなり、コイルの芯を大きくしたり、コイルの線材を太くする必要があって、コイルそのものが大型化し重くなる。そして、大型化し重くなったコイルは、落下等の衝撃に弱く、破損し易いという欠点がある。
【０００７】
そこで、本発明は、上記従来の問題点に鑑みてなされたものであり、ＬＣ共振回路のインピーダンスの変化を防止し、またＬＣ共振回路のコイルの耐衝撃性を高めることが可能な回路装置を提供することを目的とする。
【課題を解決するための手段】
【０００８】
上記課題を解決するために、本発明は、複数の回路インピーダンスを高くするそれぞれのＬＣ共振回路を備える回路装置において、各ＬＣ共振回路のコイル中心の向きを相互に直交させている。
【０００９】
また、本発明は、複数の回路インピーダンスを高くするそれぞれのＬＣ共振回路を備える回路装置において、各ＬＣ共振回路のコイルを配線基板の表裏に分けて搭載し、配線基板の表側のコイルと裏側のコイルが重なり合わない様に該各コイルをずらして配置している。
【００１０】
更に、本発明は、回路インピーダンスを高くするＬＣ共振回路を備える回路装置において、ＬＣ共振回路のインピーダンスが変化しない様に該ＬＣ共振回路のコイルと配線基板間を離間させている。
【００１１】
また、本発明は、回路インピーダンスを高くするＬＣ共振回路を備える回路装置において、ＬＣ共振回路のインピーダンスが変化しない様に該ＬＣ共振回路のコイルと金属壁間を離間させている。
【００１２】
更に、本発明は、回路インピーダンスを高くするＬＣ共振回路を備える回路装置において、ＬＣ共振回路のコイルと基板間に、弾性を有する絶縁体を挟み込んでいる。絶縁体としては、発泡樹脂、あるいはゴム等がある。
【発明の効果】
【００１３】
本発明によれば、各ＬＣ共振回路のコイル中心の向きを相互に直交させている。このため、各コイルの磁力線の向きが相互に直交して、各コイルの磁力線が結合せず、各コイルが電磁結合しない。従って、各コイルのインダクタンスも変化せず、各ＬＣ共振回路の本来のインピーダンス周波数特性が維持され、共振インピーダンスが低下することもない。
【００１４】
また、本発明によれば、各ＬＣ共振回路のコイルを配線基板の表裏に分けて搭載し、配線基板の表側のコイルと裏側のコイルが重なり合わない様に該各コイルをずらして配置している。この場合は、各コイルが十分に離間するので、各コイルの磁力線が結合せず、各コイルが電磁結合せず、各ＬＣ共振回路の本来のインピーダンス周波数特性が維持され、共振インピーダンスが低下することもない。
【００１５】
更に、本発明によれば、ＬＣ共振回路のインピーダンスが変化しない様に該ＬＣ共振回路のコイルと配線基板間を離間させている。あるいは、ＬＣ共振回路のインピーダンスが変化しない様に該ＬＣ共振回路のコイルと金属壁間を離間させている。
【００１６】
このため、配線基板もしくは金属壁によりコイルの磁力線が乱されることはなく、コイルのインダクタンスも変化せず、ＬＣ共振回路の本来のインピーダンス周波数特性が維持され、共振インピーダンスが低下することもない。
【００１７】
また、本発明によれば、ＬＣ共振回路のコイルと基板間に、弾性を有する絶縁体を挟み込んでいるので、基板やシャーシ等に衝撃が加わっても、この衝撃が絶縁体により緩和されてコイルに直接伝達せずに済む。これにより、コイルの耐衝撃性が高まる。
【発明を実施するための最良の形態】
【００１８】
以下、本発明の実施例を添付図面を参照しつつ詳細に説明する。
【実施例１】
【００１９】
図１は、本発明の回路装置の実施例１を概念的に示す図である。本実施例の回路装置では、回路の入力側や出力側から見た２つの回路インピーダンスを高くするために、第１ＬＣ共振回路及び第２ＬＣ共振回路を付設している。
【００２０】
この回路装置は、第１ＬＣ共振回路のコイル１１と、第２ＬＣ共振回路のコイル１２とを備えている。コイル１１は、ドラム１３の周りに線材を巻回し、この線材をドラム１３下端に突設された各端子ピン１４に接続したものである。ドラム１３は、空芯であっても、磁性体の芯を有していても構わない。もう一方のコイル１２も、コイル１１と同様の構成である。
【００２１】
ここでは、各コイル１１、１２の中心の向きを相互に直交させている。例えば、コイル１１を配線基板に立設して搭載し、コイル１２を配線基板に横に倒して搭載している。このため、各コイル１１、１２の磁力線Ｓ1、Ｓ2の向きが相互に直交し、各コイル１１、１２の磁力線Ｓ1、Ｓ2が結合せず、各コイル１１、１２が電磁結合せず、各コイル１１、１２のインダクタンスも変化せず、各ＬＣ共振回路の本来のインピーダンス周波数特性が維持され、共振インピーダンスが低下することもない。
【００２２】
尚、３個のコイルを配置する場合は、各コイルの中心の向きをｘ軸方向、ｙ軸方向、及びｚ軸方向に向ければ良い。また、３個以上のコイルを配置する場合は、コイル毎に、コイルの中心の向きを隣り合う他のコイルの中心の向きと直交させれば良い。
【実施例２】
【００２３】
図２は、本発明の回路装置の実施例２を示す側面図である。本実施例の回路装置では、３つの回路インピーダンスを高くするために、第１ＬＣ共振回路、第２ＬＣ共振回路、及び第３ＬＣ共振回路を付設している。
【００２４】
この回路装置は、第１ＬＣ共振回路のコイル２１と、第２ＬＣ共振回路のコイル２２と、第３ＬＣ共振回路のコイル２３と、各コイル２１、２２、２３が搭載される配線基板２４とを備えている。コイル２１は、ドラム２５の周りに線材を巻回し、この線材をドラム２５下端に突設された各端子ピン２６に接続したものである。ドラム２５は、空芯であっても、磁性体の芯を有していても構わない。他の各コイル２２、２３も、コイル２１と同様の構成である。
【００２５】
ここでは、各コイル２１、２２、２３を配線基板２４の表裏に分けて搭載し、配線基板２４の表側のコイル２１、２３と裏側のコイル２２が重なり合わない様に該各コイル２１、２２、２３をずらして配置している。このため、各コイル２１、２２、２３が十分に離間し、各コイル２１、２２、２３の磁力線Ｓ1、Ｓ2、Ｓ3が結合せず、各コイル２１、２２、２３が電磁結合せず、各ＬＣ共振回路の本来のインピーダンス周波数特性が維持され、共振インピーダンスが低下することもない。
【００２６】
尚、コイルの個数が２個であったり、４個以上であっても、各コイルを配線基板２４の表裏に分けて搭載し、配線基板２４の表側のコイルと裏側のコイルをずらして配置すれば、同様の効果を得ることができる。
【実施例３】
【００２７】
図３は、本発明の回路装置の実施例３を示す側面図である。本実施例の回路装置では、回路インピーダンスを高くするために付設されたＬＣ共振回路のコイル３１を配線基板３２から３ｍｍ以上離間させている。
【００２８】
配線基板３２は、様々な部品を搭載するため、磁性体部材を含む可能性がある。このため、仮に、コイル３１を配線基板３２に接近させると、配線基板３２の磁性体部材によりコイル３１の磁力線Ｓ1が乱され、コイル３１のインダクタンスが変化して、ＬＣ共振回路のインピーダンスが変化することがある。
【００２９】
ところが、本実施例の様にコイル３１を配線基板３２から３ｍｍ以上離間させておくと、配線基板３２の磁性体部材によりコイル３１の磁力線Ｓ1が乱れることはなく、コイル３１のインダクタンスも変化せず、ＬＣ共振回路の本来のインピーダンス周波数特性が維持され、共振インピーダンスが低下することもない。
【実施例４】
【００３０】
図４は、本発明の回路装置の実施例４を示す側面図である。本実施例の回路装置では、回路インピーダンスを高くするために付設されたＬＣ共振回路のコイル４１を金属製のシャーシ４２の側壁から１ｃｍ以上離間させている。
【００３１】
シャーシ４２は、静電シールド及び電磁シールドの役目を果たすものであるため、磁性体であることが多い。このため、仮に、コイル４１をシャーシ４２に接近させると、シャーシ４２によりコイル４１の磁力線Ｓ1が乱され、コイル４１のインダクタンスが変化して、ＬＣ共振回路のインピーダンスが変化することがある。
【００３２】
ところが、本実施例の様にコイル４１をシャーシ４２の側壁から１ｃｍ以上離間させておくと、シャーシ４２によりコイル４１の磁力線Ｓ1が乱れることはなく、コイル４１のインダクタンスも変化せず、ＬＣ共振回路の本来のインピーダンス周波数特性が維持され、共振インピーダンスが低下することもない。
【実施例５】
【００３３】
図５は、本発明の回路装置の実施例５を示す側面図である。本実施例の回路装置では、回路インピーダンスを高くするために付設されてたＬＣ共振回路のコイル５１と配線基板５２間に、発泡樹脂の絶縁体５３を挟み込んでいる。
【００３４】
絶縁体５３は、配線基板５２上に両面接着テープ（図示せず）を介して接着されており、その上からコイル５１を配線基板５２に搭載している。あるいは、コイル５１と絶縁体５３間にも両面接着テープを介在させても良い。
【００３５】
一般に、回路装置の消費電流が大きい（５００ｍＡ以上）場合は、ＬＣ共振回路に流れる電流も大きくなり、コイル５１の芯を大きくしたり、コイル５１の線材を太くする必要があって、コイル５１そのものが大型化し重くなり、コイル５１が衝撃に弱くなる。
【００３６】
ところが、本実施例の様にコイル５１と配線基板５２間に、発泡樹脂の絶縁体５３を挟み込めば、配線基板５２やシャーシ等に衝撃が加わっても、この衝撃が絶縁体５３により緩和されてコイル５１に直接伝達せずに済む。これにより、コイル５１の耐衝撃性が高まる。
【００３７】
尚、絶縁体５３として、発泡樹脂の代わりに、ゴムを適用しても良い。
【図面の簡単な説明】
【００３８】
【図１】本発明の回路装置の実施例１を概念的に示す図である。
【図２】本発明の回路装置の実施例２を示す側面図である。
【図３】本発明の回路装置の実施例３を示す側面図である。
【図４】本発明の回路装置の実施例４を示す側面図である。
【図５】本発明の回路装置の実施例５を示す側面図である。
【図６】ＬＣ共振回路を例示する回路図である。
【図７】従来のＬＣ共振回路の配置態様を示す側面図である。
【符号の説明】
【００３９】
１１、１２  コイル
１３  ドラム
１４  端子ピン
【図１】
2005244456.tif 000003
【図２】
2005244456.tif 000004
【図３】
2005244456.tif 000005
【図４】
2005244456.tif 000006
【図５】
2005244456.tif 000007
【図６】
2005244456.tif 000008
【図７】
2005244456.tif 000009